(57)【要約】【課題】  Ｘ線画像の記録部において記録体保持ベルトを平面状に吸引保持する記録部支持盤から、記録体保持ベルトを確実に引き剥がして、安定して移動できるようにする【解決手段】  記録体保持ベルト１５に対する記録部支持盤２２および読取部支持盤３７への吸引を解除した後、記録体保持ベルト１５を正方向へ搬送駆動する前に、当該記録体保持ベルト１５ベルト正逆方向へ微小送りする吸着解除ステップを挿入する。【選択図】      図２
2007121517.tif 000002
【特許請求の範囲】
【請求項１】
可撓性を有する無端状の記録体保持ベルトと、輝尽性蛍光体層を有し前記記録体保持ベルトの表面に装着されたＸ線画像記録体と、このＸ線画像記録体に試料からのＸ線を記録させる記録部と、前記Ｘ線画像記録体に記録されたＸ線像を読み取る読取部と、前記Ｘ線画像記録体に記録されたＸ線像を消去する消去部と、前記記録体保持ベルトを前記記録部および前記読取部を通過する搬送軌道に沿って移動自在に巻掛け支持するベルト支持手段と、前記記録体保持ベルトを移動させるベルト駆動手段と、前記記録部において前記記録体保持ベルトを吸引して平面状に保持する記録部支持盤と、前記読取部において前記記録体保持ベルトを吸引して湾曲形状に保持する読取部支持盤と、を備えたＸ線画像記録・読取装置の制御方法であって、
前記記録体保持ベルトに対する前記記録部支持盤および前記読取部支持盤への吸引を解除した後、前記ベルト駆動手段を正方向へ搬送駆動する前に、当該ベルト駆動手段を微小送りする吸着解除ステップを挿入したことを特徴とするＸ線画像記録・読取装置の制御方法。
【請求項２】
前記吸着解除ステップは、前記ベルト駆動手段を正逆方向へ微小送りするステップであることを特徴とする請求項１に記載したＸ線画像記録・読取装置の制御方法。
【請求項３】
前記吸着解除ステップの次に、記録部支持盤と前記記録体保持ベルトとの間の吸着状態が解除されたかどうかを確認する確認ステップを挿入するとともに、
前記確認ステップで、前記記録体保持ベルトが吸着されたままと判断されたとき、前記吸着解除ステップを更に繰り返すことを特徴とする請求項１または２に記載したＸ線画像記録・読取装置の制御方法。
【発明の詳細な説明】
【技術分野】
【０００１】
この発明は、試料から回折してきたＸ線を記録体に吸収・蓄積し、励起光の照射によってこれを読み取るＸ線画像記録・読取装置の制御方法に関する。
【背景技術】
【０００２】
Ｘ線回折装置等、Ｘ線の回折現象を利用して試料の結晶構造などを測定する装置には、試料で回折してきたＸ線を記録するために、輝尽性蛍光体層を有するＸ線画像記録体を用いたものがある。一般に輝尽性蛍光体層を有するＸ線画像記録体はイメージングプレート（ＩＰ）と呼ばれており、１００μｍ程度の分解能を有する高感度なもの（「ホワイトＩＰ」と称する）や、５０μｍ程度の分解能を有する低感度なもの（「ブルーＩＰ」と称する）などの種類があり、それぞれ試料から出る回折Ｘ線の密度等に応じて適宜選択して用いられている。例えば、試料から出る回折Ｘ線が広い領域に散点する場合は、ホワイトＩＰを使用するのが好ましく、一方、試料から出る回折Ｘ線が狭い領域で高密度に記録される場合は、ブルーＩＰを使用するのが好ましい。
【０００３】
しかしながら、これら種類の異なるイメージングプレートは、各々寸法も異なっており、しかもＸ線画像記録・読取装置は二枚のイメージングプレートを装着できるだけであった。したがって、連続測定を実施する場合には、いずれか一種類のイメージングプレートのみ記録体に装着し、試料の変更とともに別種のイメージングプレートを用いる必要が生じたときに、その都度、記録体へ装着し直さなければならなかった。
【０００４】
そこで本出願人は、これらの事情に鑑み、先に特許文献１のＸ線画像記録・読取装置を提案した。
ここで、特許文献１のＸ線画像記録・読取装置について概要を説明する。
特許文献１のＸ線画像記録・読取装置は、無端状の記録体保持ベルトにイメージングプレートを装着した構成となっている。記録体保持ベルトは回転ドラムに巻掛け支持されており、記録部と読取部の間を移動自在になっている。この記録体保持ベルトの移動によって、イメージングプレートが、記録部および読取部に移動配置される。
記録部および読取部には、それぞれ支持盤が配設してあり、この支持盤に記録体保持ベルトの背面が真空吸着される。イメージングプレートを保持する場合、Ｘ線の読取精度を確保するためには、真空吸着が必須である。露光部及び読み取り部において、精度よく平面度を出している支持盤に真空吸着することで、ＩＰの平面度を確保し、回析したＸ線の位置を精度よく読み取ることができる。
【特許文献１】特開平９−３４０４０号公報
【発明の開示】
【発明が解決しようとする課題】
【０００５】
さて、特許文献１のＸ線画像記録・読取装置は、長期間の稼働によって記録体保持ベルトが記録部の支持盤に馴染んできて、密着度が向上し、真空吸引を解除した時、支持盤から記録体保持ベルトが吸着されている間は記録体保持ベルトを移動させることができず、無駄時間として測定時間に影響する。寿命が短いサンプルやＳＯＲ光での測定のようなハイスループットを要求する測定ではおおいに不利益となる。
この現象は、記録体保持ベルトを平面状に保持する記録部支持盤において、特に発生しやすい。
【０００６】
本発明はこのような事情を鑑みてなされたもので、記録部において記録体保持ベルトを平面状に吸引保持する記録部支持盤から記録体保持ベルトを確実に引き剥がして、安定して移動できるようにすることを目的とする。
【課題を解決するための手段】
【０００７】
上記目的を達成するために、本発明は、可撓性を有する無端状の記録体保持ベルトと、輝尽性蛍光体層を有し記録体保持ベルトの表面に装着されたＸ線画像記録体と、このＸ線画像記録体に試料からのＸ線を記録（すなわち、吸収・蓄積）させる記録部と、Ｘ線画像記録体に記録されたＸ線像を読み取る読取部と、Ｘ線画像記録体に記録されたＸ線像を消去する消去部と、記録体保持ベルトを記録部および読取部を通過する搬送軌道に沿って移動自在に巻掛け支持するベルト支持手段と、記録体保持ベルトを移動させるベルト駆動手段と、記録部において前記記録体保持ベルトを吸引して平面状に保持する記録部支持盤と、読取部において記録体保持ベルトを吸引して湾曲形状に保持する読取部支持盤と、を備えたＸ線画像記録・読取装置の制御方法であって、
記録体保持ベルトに対する記録部支持盤および読取部支持盤への吸引を解除した後、ベルト駆動手段を正方向へ搬送駆動する前に、当該ベルト駆動手段を微小送りする吸着解除ステップを挿入したことを特徴とする。
【０００８】
上記吸着解除ステップにおいて、ベルト駆動手段を微小送りすることで、記録部支持盤に吸着された記録体保持ベルトの境界部分に僅かなたわみが生じ、これにより記録体保持ベルトが記録部保持盤から引き剥がされる。
【０００９】
ここで、吸着解除ステップは、ベルト駆動手段を正逆方向へ微小送りするステップであることが好ましい。これにより、いっそう確実に記録体保持ベルトを記録部保持盤から引き剥がすことができる。
【００１０】
また、本発明は、吸着解除ステップの次に、記録部支持盤と記録体保持ベルトとの間の吸着状態が解除されたかどうかを確認する確認ステップを挿入するとともに、
確認ステップで、記録体保持ベルトが吸着されたままと判断されたとき、吸着解除ステップを更に繰り返す方法とすることもできる。
【発明の効果】
【００１１】
本発明によれば、記録部において記録体保持ベルトを平面状に吸引保持する記録部支持盤から記録体保持ベルトを確実に引き剥がし、安定した記録体保持ベルトの移動制御を実行することが可能となる。そのため、記録体保持ベルトに無理な力が加わらず、ベルトの寿命が延びるなどのメンテナンス上の効果も期待できる。
【発明を実施するための最良の形態】
【００１２】
以下、この発明の実施の形態について図面を参照して詳細に説明する。
図１及び図２は、本発明の実施形態に係るＸ線画像記録・読取装置を示す図であり、図１は、同装置の全体構成を示す斜視図、図２は、同じく平面図である。
Ｘ線画像記録・読取装置は、Ｘ線画像記録体１０の移動部Ａ、Ｘ線画像記録体１０に対する測定情報の記録部Ｂ、およびＸ線画像記録体１０に記録した測定情報の読取部Ｃで全体を構成してある。
【００１３】
Ｘ線画像記録体１０の移動部Ａには、四本の回転ドラム（ベルト支持手段）１１，１２，１３，１４が、前後に二本づつ互いの中心軸を平行にした状態で設置してある。これら回転ドラム１１〜１４には、無端状の記録体保持ベルト１５が巻掛けてあり、該記録体保持ベルト１５は回転ドラム１１〜１４に沿って移動自在となっている。四本の回転ドラム１１〜１４のうち一本は、駆動回転ドラムになっており、図示しない駆動モータ（ベルト駆動手段）から回転駆動力を受けて回転する。この実施形態では、便宜上、回転ドラム１１を駆動回転ドラムとして以下の説明を進めていく。他の三本の回転ドラム１２，１３，１４は、従動回転ドラムとなっている。
【００１４】
前方に位置する二本の回転ドラム１３，１４の間は記録部Ｂの領域に入っており、この間では記録体保持ベルト１５を平面状に支持している。また、後方に位置する二本の回転ドラム１１，１２の間は読取部Ｃの領域に入っており、この間では後述する複数の案内ローラ１６によって記録体保持ベルト１５を湾曲形状に支持している。
【００１５】
記録体保持ベルト１５は、回転ドラム１１〜１４に巻掛けられかつ移動できる程度の可撓性を有する金属部材（例えば、ステンレス板）で形成してある。この金属部材で形成した記録体保持ベルト１５は、通常のベルトコンベア等に用いられる布製やゴム製の無端状ベルトに比べ、伸縮性がなくしかも表面に凹凸ができにくいという特性を有している。
【００１６】
Ｘ線画像記録体１０は、一般にイメージングプレート（ＩＰ）と呼ばれる輝尽性蛍光体層を有した平板状のＸ線記録媒体を用いている。Ｘ線画像記録体１０としてのイメージングプレートには、先に説明したようなホワイトＩＰ，ブルーＩＰ等、各種の感度特性，寸法の異なるもの、さらには測定条件に合わせた特別仕様のものを適宜選択して用いることができる。それら選択したＸ線画像記録体１０は、記録体保持ベルト１５の表面に装着してある。なお、Ｘ線画像記録体１０は、記録体保持ベルト１５と同じく回転ドラム１１〜１４に沿って移動できる程度の可撓性を有していることが必要である。
【００１７】
図１に示した実施形態では、４枚のＸ線画像記録体１０を記録体保持ベルト１５の表面に装着してある。ここで、Ｘ線画像記録体１０の一枚が記録部Ｂに配置されたとき、他のＸ線画像記録体１０のうちの一枚が読取部Ｃに配置されるように、各Ｘ線画像記録体１０の装着位置を調整してある。このようにすれば、測定情報の記録動作と同時に読み取り動作を実行することができる。
【００１８】
各回転ドラム１１〜１４の周面は、それぞれ回転軸と平行な面になっている。また、各回転ドラム１１〜１４の周面は、弾力性を有しかつ摩擦係数の大きなゴム材、軟質合成樹脂材などを適用することができる。さらに、記録体保持ベルト１５の所定の位置にスプロケット孔を、各回転ドラム１１〜１４にこのスプロケット孔に係合するスプロケット爪を、それぞれに設けて記録体保持ベルト１５を係合案内する構成としてもよい。
【００１９】
記録部Ｂには、図１に示すようにＸ線回折測定を実施するための試料台２０，Ｘ線源２１等からなる記録手段が、記録体保持ベルト１５の表面と対向して設けてある。この記録手段は、公知のＸ線回折装置を利用するため詳細な説明は省略するが、試料台２０に装着した試料Ｓに対してＸ線源２１によってＸ線を照射し、同試料Ｓから回折してきたＸ線をＸ線画像記録体１０に入射して吸収・蓄積させるようになっている。
【００２０】
記録部Ｂの領域に配置された記録体保持ベルト１５の裏面側近傍位置には、記録部支持盤２２が設置してあり、記録体保持ベルト１５を平面状に吸着保持する。記録部支持盤２２の正面は、平坦な吸着面となっている。吸着面には、複数条の吸引溝（図示せず）が形成してある。さらに、記録部支持盤２２の内部には吸引溝と連通する真空室（図示せず）が形成してあり、この真空室は配管２４を介して真空ポンプ（図示せず）に連通し、同真空ポンプによって真空吸引される。この真空吸引力によって、記録体保持ベルト１５の裏面を記録部支持盤２２の吸着面に吸着保持することができる。なお、真空ポンプの配管２４には、空気圧を計測する圧力ゲージ（図示せず）が装着されており、真空吸引状態を常時計測することが可能である。
【００２１】
読取部Ｃには、図１、図２に示すように回転走査式の読取装置（読取手段）３０が出没自在となっている。この読取装置３０は、Ｘ線画像記録体１０に記録されたＸ線像を読み取る装置である。すなわち、図１に示すようにレーザ光源３１で生じたレーザ光（励起光）をハーフミラー３２を介して走査窓３３から発射するとともに、励起光の照射によってＸ線画像記録体１０のＸ線蓄積部分から発生した蛍光を同走査窓３３から受光し、ハーフミラー３２を介して検出部３４へと入力する構造を備えている。
【００２２】
ハーフミラー３２および走査窓３３は、支持枠３５に装着した回転体３６に設けてあり、回転体３６とともに回転してレーザ光を径方向に発射する。さらに、支持枠３５は回転体３６の中心軸方向（図では上下方向）に往復移動し、これらの動作の組み合せによって読取装置３０は螺旋状にＸ線画像記録体１０を走査していく。
【００２３】
読取部Ｃの領域に配置された記録体保持ベルト１５の裏面側近傍位置には、読取部支持盤３７が設置してあり、記録体保持ベルト１５を湾曲形状にして吸着保持する。読取部支持盤３７正面は、湾曲形状の吸着面となっている。この吸着面の曲率半径は、上述した読取装置３０における走査窓３３の回転半径より若干大きく設定してあり、該走査窓３３が吸着面に吸着固定したＸ線画像記録体１０に沿って、その近傍を回転するようになっている。
なお、この読取部支持盤３７の吸着面の構造は、先に説明した記録部支持盤２２のそれと同様である。
【００２４】
また読取部Ｃには、図２に示すように、記録体保持ベルト１５の両端縁部に接触して該ベルト１５を湾曲形状に撓ませる多数個の案内ローラ１６が設置してある。記録体保持ベルト１５は、後方に配設した二本の回転ドラム１１，１２の間で、案内ローラ１６に案内されて読取部支持盤３７の吸着面に沿って湾曲状に移動する。
さらに、読取部Ｃの下流側における記録体保持ベルト１５の近傍位置には、Ｘ線画像記録体１０に記録されたＸ線像を消去するための消去ランプ１７が設置してある。この消去ランプ１７は、Ｘ線画像記録体１０に蓄積されたＸ線エネルギを、赤色光の照射によって消去する機能を有している。
【００２５】
図３は、本実施形態に係るＸ線画像記録・読取装置の一Ｘ線画像記録体の動作を示すフローチャートであり、図４は、同装置の記録部での主要動作を段階的に示した平面図である。
次に、上述した構成のＸ線画像記録・読取装置の制御動作について、図３を主に参照して説明する。なお、同装置の各部は図示しない制御装置によって制御されており、自動的に以下に説明する動作を実行していく。
Ｘ線画像記録・読取装置の操作を開始すると、制御装置は、移動部Ａ、消去ランプ１７、記録部Ｂ、読取部Ｃなどの各部を初期状態にセットする（Ｓ１）。
【００２６】
続いて、図示しない駆動モータを作動させて駆動回転ドラム１１を回転駆動し、記録体保持ベルト１５を移動させる（Ｓ２）。既述したように、記録体保持ベルト１５は無端状に構成されたベルトであり、該ベルトには複数枚（本実施形態では４枚）のＸ線画像記録体１０が一定の間隔をあけて装着されている。記録体保持ベルト１５は、一枚のＸ線画像記録体１０を記録部Ｂに配置するとともに（Ｓ３）、他の一枚のＸ線画像記録体１０を読取部Ｃに配置するタイミングをもって移動を停止する（Ｓ４）。
【００２７】
次に、記録部Ｂでは、記録部支持盤２２の真空吸引動作が開始され、記録体保持ベルト１５の裏面を同支持盤２２に吸着する（Ｓ５）。記録部支持盤２２の表面は平面状に形成されており、この表面に記録体保持ベルト１５が吸着される。記録体保持ベルト１５の被吸着領域には、表面にＸ線画像記録体１０が装着されている。したがって、Ｘ線画像記録体１０は、記録部保持ベルト１５を介して記録部支持盤２２に吸着されて、平面を保持することになる。
【００２８】
一方、読取部Ｃでは、読取部支持盤３７の真空吸引動作が開始され、記録体保持ベルト１５の裏面を同支持盤３７に吸着する（Ｓ６）。読取部支持盤３７の表面は湾曲形状に形成されており、この湾曲面に記録体保持ベルト１５が吸着される。記録体保持ベルト１５の被吸着領域には、その表面にＸ線画像記録体１０が装着されている。したがって、Ｘ線画像記録体１０は、記録部保持ベルト１５を介して読取部支持盤３７に吸着されて、湾曲面を保持することになる。
【００２９】
続いて、記録部Ｂでは、Ｘ線回折測定が実行される（Ｓ７）。すなわち、Ｘ線源２１から試料Ｓに向けてＸ線が照射され、試料Ｓから出力された回折Ｘ線をＸ線画像記録体１０に吸収・蓄積する。
また、読取部Ｃでは、読取装置３０によりＸ線画像記録体１０に蓄積された回折Ｘ線の読取動作が実行されるが（Ｓ８）、始動後最初のサイクルでは、読取部Ｃに配置されたＸ線画像記録体１０に回折Ｘ線が蓄積されていないため、このステップは省略される。
【００３０】
その後、記録部支持盤２２および読取部支持盤３７のそれぞれに対する真空吸引動作を停止して、記録体保持ベルト１５の吸着状態を解除する（Ｓ９）。
このとき、読取部Ｃの読取部支持盤３７には、湾曲面に対して記録体保持ベルト１５が弾力的に撓んで吸着されていたので、その吸着状態が解除されると同時に、弾性力をもって記録体保持ベルト１５は読取部支持盤３７の表面（湾曲面）から離間しようとする。その結果、読取部支持盤３７の表面と記録体保持ベルト１５との間に隙間が形成され、速やかに吸着状態が解除される。
なお、記録体保持ベルト１５は、両端縁部が案内ローラ１６に支持されているものの、それ以外の領域は、読取部支持盤３７による吸着が解除されれば他に何ら支持されるものがないので、弾性力をもって記録体保持ベルト１５は読取部支持盤３７の表面から離間する。
【００３１】
一方、記録部Ｂの記録部支持盤２２は、記録体保持ベルト１５を平面状に吸着保持するため、吸引を停止しても弾性力により記録部支持盤２２の表面から離間しようとする現象はなく、むしろ既述したとおり長期間の稼働によって、記録体保持ベルト１５が記録部支持盤２２に馴染んできて、吸引解除後も、吸着されたままの状態を維持する現象が時折発生する。
【００３２】
そこで、本実施形態では、記録部支持盤２２および読取部支持盤３７のそれぞれに対する真空吸引動作を停止して、真空吸引状態の解除を確認した後（Ｓ１０）、記録部支持盤２２から記録体保持ベルト１５を引き離すための動作ステップを挿入してある（Ｓ１１，Ｓ１２）。
すなわち、まず記録体保持ベルト１５を正方向（送り方向）に微小量だけ移動させるように、駆動回転ドラム１１を駆動制御する（Ｓ１１）。このとき、記録体保持ベルト１５が記録部支持盤２２に吸着されたままの状態が続いていると、記録体保持ベルト１５の微小移動が記録部支持盤２２による吸着によって阻止されるため、図４（ａ）に示すように、回転ドラム１１〜１４に巻掛けられた記録体保持ベルト１５の弛み１５ａが、記録部支持盤２２の一方の端縁部分に集中して、僅かながら記録体保持ベルト１５を湾曲させる。この湾曲によって、当該一方の端縁部分において、記録体保持ベルト１５と記録部支持盤２２との間に僅かな隙間が生じる。
【００３３】
続いて、記録体保持ベルト１５を逆方向（戻り方向）に微小量だけ移動させるように、駆動回転ドラム１１を駆動制御する（Ｓ１２）。このとき、いまだに記録体保持ベルト１５が記録部支持盤２２に吸着されたままとなっていた場合は、記録体保持ベルト１５の微小移動が記録部支持盤２２による吸着によって阻止されるため、図４（ｂ）に示すように、回転ドラム１１〜１４に巻掛けられた記録体保持ベルト１５の弛み１５ｂが、記録部支持盤２２の他方の端縁部分に集中して、僅かながら記録体保持ベルト１５を湾曲させる。この湾曲によって、当該他方の端縁部分において、記録体保持ベルト１５と記録部支持盤２２との間に僅かな隙間が生じる。
【００３４】
上述したように記録体保持ベルト１５を正逆方向に微小移動させる動作を挿入することにより、記録体保持ベルト１５を記録部支持盤２２から引き剥がすことができる。
【００３５】
続く、ステップＳ１３では、記録部支持盤２２と記録体保持ベルト１５との間の吸着状態が解除されたかどうかを確認する。この確認ステップでは、例えば、駆動回転ドラム１１を回転駆動し、同駆動回転ドラム１１に作用する抵抗モーメントを検出する。そして、当該抵抗モーメントが一定値を超えた場合は、まだ記録体保持ベルト１５が記録部支持盤２２に吸着されていると判断し、再度ステップＳ１１、Ｓ１２を繰り返す。一方、抵抗モーメントが一定値以下であった場合は、記録体保持ベルト１５と記録部支持盤２２との間の吸着状態が解除されたと判断し、次のステップＳ１４に進む。
【００３６】
ステップＳ１４では、駆動回転ドラム１１を回転駆動して、記録体保持ベルト１５を移動させる（Ｓ２）。このステップＳ１４は、ステップＳ１３において駆動回転ドラム１１を回転駆動する動作から連続して行うことができる。
記録体保持ベルト１５の移動と並行して、消去ランプ１７がＯＮとなり、当該消去ランプ１７の対向位置を通過するＸ線画像記録体１０に対し、赤色光を照射してそのＸ線画像記録体１０に蓄積されていたＸ線エネルギを消去する（Ｓ１５）。
記録体保持ベルト１５は、一枚のＸ線画像記録体１０を記録部Ｂに配置するとともに（Ｓ３）、他の一枚のＸ線画像記録体１０を読取部Ｃに配置するタイミングをもって移動を停止する（Ｓ４）。
【００３７】
なお、吸着状態の確認は、簡易的に圧力ゲージの指示値により、大気圧との差圧が一定値以下であることを検出することによっても可能である。
【００３８】
上述したＸ線画像記録・読取装置によれば、記録部ＢでＸ線回折測定を実施するとともに、並行して読取部Ｃで測定情報を読み取ることができ、測定および処理時間の短縮を図ることができる。
また、ステップＳ１１、Ｓ１２の動作をもって、記録部支持盤２２との吸着からＸ線画像記録体１０を確実に離脱することができる。かかる動作は、制御ソフトの改良だけで実行することができ、ハードウエアの改良を必要とせずに既存装置にも適用が可能である。
【００３９】
なお、本発明は上述した実施形態に限定されるものではなく、必要に応じて種々の応用実施または変形実施が可能であることは勿論である。
例えば、図５に示すように、三本の回転ドラム１１〜１３によって構成されるＸ線画像記録・読取装置に対しても、本発明は適用が可能である。
【００４０】
また、図３に示した制御フローにおいては、記録体保持ベルト１５を正方向（送り方向）に微小量だけ移動させるステップＳ１１の次に、逆方向（戻り方向）に微小量だけ移動させるステップＳ１２を実施したが、これらの順序を逆にすることもできる。
さらに、これらステップＳ１１、Ｓ１２のいずれか一方のみを行う方法であってもよい。
【００４１】
また、図３に示した制御フローにおいては、ステップＳ１１、Ｓ１２の次に、記録部支持盤２２と記録体保持ベルト１５との間の吸着状態が解除されたかどうかを確認するステップＳ１３を挿入したが、この確認ステップ（Ｓ１３）は省略してもよい。
【図面の簡単な説明】
【００４２】
【図１】本実施形態に係るＸ線画像記録・読取装置の全体構成を示す斜視図である。
【図２】Ｘ線画像記録・読取装置の構成を示す平面図である。
【図３】本実施形態に係るＸ線画像記録・読取装置の一Ｘ線画像記録体の動作を示すフローチャートである。
【図４】本実施形態に係るＸ線画像記録・読取装置の記録部での主要動作を段階的に示した平面図である。
【図５】Ｘ線画像記録・読取装置の変形例の全体構成を示す斜視図である。
【符号の説明】
【００４３】
１０：Ｘ線画像記録体、１１：駆動回転ドラム、１２〜１４：従動回転ドラム、
１５：記録体保持ベルト、１６：案内ローラ、１７：消去ランプ、
２０：試料台、２１：Ｘ線源、２２：記録部支持盤、２４：配管、
３０：読み取り装置、３１：レーザ光線、３２：ハーフミラー、３３：操作窓、
３５：支持枠、３６：回転体、３７：読取部支持盤、
Ａ：移動部、Ｂ：記録部、Ｃ：読取部、Ｓ：試料
【図１】
2007121517.tif 000003
【図２】
2007121517.tif 000004
【図３】
2007121517.tif 000005
【図４】
2007121517.tif 000006
【図５】
2007121517.tif 000007